(57)【要約】【課題】  飲食店にとって比較的時間の余裕のある段階（例えば１１月中）において作成・投函を行った案内状を所望の時期（例えば１２月２６日）にユーザーに配達を行い、案内状の機能を充分に発揮させる。【解決手段】  飲食店の広告情報を記載した案内状を飲食店のユーザーに配達する案内状の配達方法において、案内状に所定の識別情報（例えば『年末状』という文字）を付し、識別情報が案内状に付されているか否かの判断を行い、識別情報が付されている案内状については所定期間保管した後に各ユーザーに配達を行う。【選択図】    図２
2005128602.tif 000002
【特許請求の範囲】
【請求項１】
飲食店の広告情報を記載した案内状を前記飲食店の各ユーザーに配達する案内状の配達方法において、
前記案内状に所定の識別情報が付されているか否かを判断し、
前記所定の識別情報が付されている案内状については所定の日時まで保管を行い、所定の日時に各ユーザーに配達を行う
ことを特徴とする案内状の配達方法。
【請求項２】
前記案内状は書面である
ことを特徴とする請求項１に記載の案内状の配達方法。
【請求項３】
前記案内状は、郵便物が多数配達される時期を除く時期に配達を行う
ことを特徴とする請求項１または請求項２に記載の案内状の配達方法。
【発明の詳細な説明】
【技術分野】
【０００１】
本発明は案内状の配達方法に関する。詳しくは、飲食店の広告情報を記載した案内状を飲食店の各ユーザーに配達する案内状の配達方法に係るものである。
【背景技術】
【０００２】
一般に、飲食店は、１年間の御礼、イベントなどの案内、年末年始の休業日の案内を行うと共に、年始の予約をとるために、飲食店の広告情報を記載した案内状を飲食店のユーザーに対して配達している。
ここで、年末年始の休業日をユーザーに対して告知するという目的及び年始の予約を確保するという目的からすると、年内には案内状が配達されていることが求められている。
【発明の開示】
【発明が解決しようとする課題】
【０００３】
しかしながら、飲食業は特に１２月中は多忙を極め、年賀状を準備する時間さえも惜しまれるのが実状である。
ここで、多忙を極める１２月以前（例えば１１月中）に案内状を配達したのでは、ユーザーに届くのが早過ぎて案内状の効果が期待できない。また、年始に年賀状を兼ねて案内状を配達したのでは、ユーザーに届くのが遅過ぎて、年始の予約をとるという目的を充分に果たせないばかりか、年賀状は配達される枚数が極めて多いために、他の年賀状に紛れてしまいユーザーの目に届きにくくなってしまう。
【０００４】
本発明は、以上の様な飲食店が各ユーザーに配達する案内状の性格に鑑み、また、飲食店においては１２月が極めて多忙であるという実状を考慮して、飲食店にとって比較的時間に余裕がある段階（例えば、１１月中）において準備を行った案内状について所定の日時に配達を行うことにより案内状の役割を充分に発揮できる案内状の配達方法を提供することを目的とするものである。
【課題を解決するための手段】
【０００５】
上記の目的を達成するために、本発明に係る案内状の配達方法は、飲食店の広告情報を記載した案内状を前記飲食店の各ユーザーに配達する案内状の配達方法において、前記案内状に所定の識別情報が付されているか否かを判断し、前記所定の識別情報が付されている案内状については所定の日時まで保管を行い、所定の日時に各ユーザーに配達を行う。
【０００６】
ここで、案内状に所定の識別情報を付すことによって、所定の日時まで保管を行った後に配達を行うべき案内状であるか否かの判断を行う際の基準とすることができる。
また、識別情報が付されている案内状については所定の日時まで保管を行い、所定の日時に各ユーザーに配達を行うことによって、飲食店が案内状を配達予定日よりも早い時期から案内状を送信／投函したとしても、ユーザーの手元には所定の日時に配達されるために、時間的に余裕のある時期に案内状の送信／投函を行うことができる。
更に、案内状が各ユーザーに対して配達されることによって、飲食店の印象度が増す。即ち、新聞等の折りこみチラシとは違い、各個人に対しての案内状であるという点を強調することができ、ユーザーに対する飲食店の印象度が増すと考えられる。
【０００７】
また、案内状は書面であることが望ましい。これによりユーザーに対する印象度の向上を図ることができるからである。即ち、現状では、電子メールやＦＡＸ等によっても飲食店の案内状をユーザーに配達する場合もあり、電子メールやＦＡＸ等であっても案内状を配達することは可能ではあるが、ユーザーの目につき難く破棄されやすいと共に、書面による案内状と比較するとユーザーの印象度が薄いと考えられる。従って、案内状が届けられたユーザーに対して充分に飲食店を印象付けるためにも案内状は書面である方が望ましい。
【０００８】
また、案内状は郵便物が多数配達される時期を除く時期に配達されることが望ましい。これにより、他の郵便物と案内状が混在することを防ぐことができ、より一層案内状の印象度が増すと考えられる。例えば、年賀状が配達される年始に案内状が配達されたとしても、案内状は多数の年賀状の紛れた１枚という扱いになってしまい、案内状が届けられたユーザーに対して充分に飲食店を印象付けることができないと考えられる。
【発明の効果】
【０００９】
本発明の案内状の配達方法では、飲食店にとって比較的時間の余裕のある段階において準備を行った案内状を所望の時期にユーザーに配達することができ、案内状の機能を充分に発揮することができる。
【００１０】
なお、案内状の配達を行う業務に携わるものとして最も広く認知されている郵便局とタイアップを行い、所定の識別標識に基づいて配達日指定を行うことによって、より一層の効果が期待できるものである。
【発明を実施するための最良の形態】
【００１１】
以下、本発明の実施の形態を図面を参照しながら説明し、本発明の理解に供する。
図１は本発明を適用した案内状の配達方法を説明するためのフローチャートである。本発明を適用した案内状の配達方法では、先ず、ユーザーに対して案内状を配達しようとする飲食店は、書面の案内状の表面に『年末状』という文言を赤字で記載を行って案内状を投函する。
【００１２】
ここで、案内状の準備を行う時間は、各飲食店の都合によるものであり、ユーザーに対して案内状を配達する時期に間に合う時期であればいつでも良い。また、案内状の表面に記載する『年末状』の文言は、所定の日時に配達を行いたいという飲食店の意図を表すものであり、かかる飲食店の意図を表示することができるのであれば、いかなる表現方法であっても良い。
【００１３】
次に、配達業者（例えば、郵便局）は、投函された案内状に『年末状』の文字が記載されてあるか否かの確認作業を行い、『年末状』の文字が記載された案内状とそれ以外のものとの分別作業を行う。
【００１４】
ここで、『年末状』の文字が記載されているか否かを判断するのは、所定の日時まで案内状の保管を行い、所定の日時に案内状を配達することを希望している場合にのみかかる特別な配達方法を行うものであり、通常の場合には即座に配達業務を行う必要があるために、差出人の意思の確認を行う必要があるからである。
【００１５】
分別作業の結果、『年末状』の文字が記載された案内状については、所定の保管庫に所定の日時まで保管を行い、所定の日時に各ユーザーに対して案内状の配達を行う。一方、分別作業の結果、『年末状』の文字が記載されていない案内状、その他の郵便物等については、分別作業が終了し次第各ユーザーに配達を行う。
【００１６】
上記した本発明を適用した案内状の配達方法では、案内状の表面に『年末状』という文字を記載するのみで、各飲食店の都合の良い時期に投函した案内状を所定の日時にユーザーに届く様に配達を行うことができ、案内状の機能を損なうことなくユーザーに対して充分に飲食店を印象付けることができる。
【実施例】
【００１７】
以下、本発明の実施例を用いて更に具体的に説明を行う。
図２は本発明の実施例を説明するための模式的な図である。ここで示す飲食店Ａ１は、１１月上旬に比較的時間に余裕があったために、１１月上旬に飲食店Ａのユーザーに対して、１年間の御礼、イベントなどの案内、年末年始の休業日と共に、飲食店の広告情報を記載した書面である案内状（以下、単に「広告情報を記載した案内状」と言う。）の作成を行い、案内状の表面に『年末状』と記載を行い、１１月中旬（例えば、１１月１５日）に投函を行った。また、飲食店Ｂ２は１１月下旬に飲食店Ｂのユーザーに対して広告情報を記載した案内状の作成を行い、案内状の表面に『年末状』と記載を行い、１１月下旬（例えば、１１月３０日）に投函を行った。更に、飲食店Ｃ３は１２月上旬に飲食店Ｃのユーザーに対して広告情報を記載した案内状の作成を行い、案内状の表面に『年末状』と記載を行い、１２月中旬（例えば、１２月１０日）に投函を行った。
【００１８】
案内状が投函されると、配達業者４は案内状に『年末状』の文字が記載されているか否かの判断を行って、『年末状』の文字が記載されている場合には、案内状を１２月２４日または１２月２５日まで保管庫５に保管を行い、各ユーザー６に１２月２５日若しくは１２月２６日に届く様に案内状の配達を行う。
【００１９】
上記の実施例では、投函日によらず各ユーザーに１２月２５日若しくは１２月２６日に案内状が配達され、即ち、飲食店Ａ、飲食店Ｂ及び飲食店Ｃの各案内状共に１２月２５日若しくは１２月２６日に配達され、クリスマスカードと年賀状との間に案内状が配達されることとなり、ユーザーに対する案内状の印象度が極めて高い。
また、年末年始の購買意欲が盛んな時期に各ユーザーに案内状によって広告情報を提供することができるために、飲食店にとっては効率的な宣伝広告が可能となり、年始の予約数の向上を図ることができる。
【図面の簡単な説明】
【００２０】
【図１】本発明を適用した案内状の配達方法を説明するためのフローチャートである。
【図２】本発明の実施例を説明するための模式的な図である。
【符号の説明】
【００２１】
１  飲食店Ａ
２  飲食店Ｂ
３  飲食店Ｃ
４  配達業者
５  保管庫
６  ユーザー
【図１】
2005128602.tif 000003
【図２】
2005128602.tif 000004